(57)【要約】【課題】型崩れし難く、クッション性、通気性が良好で安眠、熟睡できるようにする。【解決手段】弾性を有する合成樹脂材から成るシート状の基板材２は、合成樹脂材から成る直方体状の形状保形部３により下方から保持されている。基板材２は通気孔を有する多数の四角枠形状の枠部材を辺方向に連結するようにして一体成型されている。基板材２の表面には、弾性を有する多数本の突条片２ｄが直角方向に高密度で植立されている。突条片２ｄは弾発性を備え、突条片２ｄの先端部による刺激を緩和し、クッション性を増すために、先端部は側方に稍々曲げられている。形状保形部３は縦、横の梁部材３ｂにより格子状に構成されており、上下方向に対し弾力性を有し、底部は基台３ｃとされている。【選択図】図４
2014045890.tif 000002
【特許請求の範囲】
【請求項１】
多数の通気孔を設けると共に表面に多数本の柔軟性かつ弾発性を有する突条片を形成した合成樹脂材から成るシート状の基板材と、該基板材を裏面から保持すると共に通気性を有する合成樹脂から成る形状保形部とを備えたことを特徴とする睡眠用枕。
【請求項２】
前記形状保形部は複数本の柱部材及び梁部材から構成したことを特徴とする請求項１に記載の睡眠用枕。
【請求項３】
前記形状保形部は上下方向に弾力性を有することを特徴とする請求項１又は２に記載の睡眠用枕。
【請求項４】
前記基板材と前記形状保形部は一体成型したことを特徴とする請求項１〜３の何れか1つの請求項に記載の睡眠用枕。
【請求項５】
前記形状保形部の底部に高さ調節部材を連結可能としたことを特徴とする請求項１〜４の何れか１つの請求項に記載の睡眠用枕。
【請求項６】
前記基板材と前記形状保形部とを組合せた２つの枕部材の前記形状保形部の底部同士を突き合せて接合したことを特徴とする請求項１〜４の何れか１つの請求項に記載の睡眠用枕。
【請求項７】
前記基板材、前記形状保形部の周囲を通気性を有するカバーにより覆ったことを特徴とする請求項１〜６の何れか１つの請求項に記載の睡眠用枕。
【発明の詳細な説明】
【技術分野】
【０００１】
本発明は、快適に安眠、熟睡ができる睡眠用枕に関するものである。
【背景技術】
【０００２】
市販されている睡眠用枕の種類は様々であるが、多くの人は使用している睡眠用枕に対して満足しておらず、寝付きが悪い、熟睡できない、起床時に首や肩が痛いなどの不満を持っている。
【０００３】
従来から、睡眠用枕は快眠できることが求められており、硬さも含めた例えばクッション性を持たせ、通気性を有する蕎麦殻や合成樹脂製のビーズ等の粒状の固形材料を袋内に大量に充填したものが多く使用されている。
【０００４】
また、保形性を重視することから、ウレタン等の成型材料をカバーにより覆っているものもあり、この場合はクッション性はあるものの通気性は悪い。或いは、通気性のために陶器製の枕を使用することもある。
【先行技術文献】
【特許文献】
【０００５】
【特許文献１】実用新案登録第３０３３７９８号
【発明の概要】
【発明が解決しようとする課題】
【０００６】
しかし、何れの従来例の睡眠用枕においても一長一短があり、クッション性、通気性、保形性の全てを兼ね備えたものは少ない。蕎麦殻やビーズ等を使用しても、大量の固形材料が充填されており、必ずしも通気性が良いとは云えず、睡眠中に型崩れし易いという問題もある。また、成型材料を用いた枕は通気性が悪く、陶器製の睡眠用枕は通気性が良くても、重く硬過ぎて感触が良くない。
【０００７】
例えば、特許文献１の枕は、クッション性もあり型崩れもし難いが、通気性が十分とは云えず、しかも板状の合成樹脂材が直接頭部に接し、肌触りの感触性が良くない。
【０００８】
本発明の目的は、上述の問題点を解消し、多数個の通気孔を有する合成樹脂製の基板材を通気性の良い形状保形部により保持することにより、型崩れし難く、クッション性、通気性が良好であり、しかも表面に多数の柔軟な突条片を配置することで、頭部への肌触りの感触が良好な睡眠用枕を提供することにある。
【課題を解決するための手段】
【０００９】
上記目的を達成するための本発明に係る睡眠用枕は、多数の通気孔を設けると共に表面に多数本の柔軟性かつ弾発性を有する突条片を形成した合成樹脂材から成るシート状の基板材と、該基板材を裏面から保持すると共に通気性を有する合成樹脂から成る形状保形部とを備えたことを特徴とする。
【発明の効果】
【００１０】
本発明に係る睡眠用枕は、型崩れし難く、クッション性、通気性が良好で、安眠、熟睡できる。
【図面の簡単な説明】
【００１１】
【図１】実施例１の睡眠用枕のカバーの一部を切欠した状態の斜視図である。
【図２】基板材の裏面の部分拡大斜視図である。
【図３】基板材の表面の部分拡大斜視図である。
【図４】基板材と形状保形部を分離した状態の斜視図である。
【図５】実施例２の睡眠用枕の側面図である。
【図６】実施例３の睡眠用枕の側面図である。
【図７】実施例４の睡眠用枕の側面図である。
【図８】実施例５の枕部材の側面図である。
【図９】枕部材同士の組み合せた状態の睡眠用枕の側面図である。
【図１０】枕部材同士の他の組み合せた状態の睡眠用枕の側面図である。
【発明を実施するための形態】
【００１２】
本発明を図示の実施例に基づいて詳細に説明する。
【実施例１】
【００１３】
図１は実施例１における睡眠用枕１のカバーの一部を切欠した状態の斜視図を示しており、弾性を有する合成樹脂材から成るシート状の基板材２は、例えば直方体状の合成樹脂材から成る形状保形部３により下方から支持されている。基板材２、形状保形部３の周囲には、例えば通気性を有する布製のカバー４が被着されている。この睡眠用枕１は寸法的には、例えば長さ５０ｃｍ、幅２３ｃｍ、厚み８ｃｍとされている。
【００１４】
図２は裏面の部分拡大斜視図、図３は表面の部分拡大斜視図をそれぞれ示している。基板材２は通気性、軽量化、弾力性を持たせるために、それぞれ通気孔２ａを有する多数の四角枠形状の枠部材２ｂを辺方向に連結するようにして一体成型され、枠部材２ｂ内には補強のためのクロス梁２ｃが隅角部同士を結ぶように形成されている。また、枠部材２ｂ、クロス梁２ｃの表面には、弾性を有する多数本の突条片２ｄが直角方向に高密度で植立されている。突条片２ｄは弾発性を備え、突条片２ｄの先端部２ｅによる刺激を緩和し、クッション性を増すために、先端部２ｅは側方に稍々曲げられている。
【００１５】
突条片２ｄは例えば幅約１〜２ｍｍ、厚み約０．５ｍｍ、長さ約１２ｍｍ程度の条片状に形成されており、基部においては稍々太く、先端部２ｅにゆくに従って稍々細くなっている。また、先端部２ｅの曲げ方向は一定方向ではなく、ランダム方向又は隣り合う突条片２ｄ同士において反対方向を向いている。或いは、数本単位に同一中心方向に曲げたり、逆に中心から外側に放射状に向けることもできる。
【００１６】
このような突条片２ｄを基板材２に高密度で植立することにより、例えば人工芝のような性状となり、基板材２に適度なクッション性と柔軟性を持たせることができる。
【００１７】
図４は基板材２と形状保形部３とを分離した状態の斜視図である。基板材２の両側縁は内側に曲げられ、これらの両側縁の内側には、内方に向けて複数個の嵌合突部２ｆが形成されている。
【００１８】
形状保形部３は複数本の縦の柱部材３ａとこの柱部材３ａ同士を連結する横の梁部材３ｂとにより格子状に成型されている。格子状から成る形状保形部３は合成樹脂材を用い、上下方向に対し弾力性を有し、底部は基台３ｃとされている。また、形状保形部３の上方の角部は丸く形成され、側方の柱部材３ａには、基板材２の嵌合突部２ｆが嵌合する複数個の嵌合凹部３ｄが設けられている。
【００１９】
基板材２を形状保形部３の上に覆い、基板材２の嵌合突部２ｆを梁部材３ｂの嵌合凹部３ｄに嵌合して、固定することにより、図１に示すように基板材２と形状保形部３は連結する。
【００２０】
なお、基板材２と形状保形部３とは、このように別体として組み合せてもよく、或いは射出成型により一体に成型することもできる。基板材２と形状保形部３とを射出成型により一体化する場合、或いは接着剤により接合する場合には、嵌合突部２ｆ、嵌合凹部３ｄを形成する必要はないし、形状保形部３の構造も更に簡素な機構とすることもできる。
【００２１】
本実施例１の睡眠用枕１は、従来の枕のような充填材を用いる必要がないため、熱を蓄熱することもなく、型崩れもし難く保形性も良好である。また、突条片２ｄによるクッション性、肌触りの感触性が良く、基板材２、形状保形部３によるクッション性に優れ、突条片２ｄ間における通気性、基板材２の表裏間の通気性にも優れているため、安眠、熟睡することができる。
【００２２】
なお、形状保形部３は必ずしも直方体状ではなく、睡眠用枕１の表面形状に凹状の丸みを帯びさせるために、基板材２に接する上面は曲線により形成したり、上面を傾斜させるようにしてもよい。
【実施例２】
【００２３】
図５は実施例２の睡眠用枕１の側面図である。形状保形部１１は複数体の柱部材１１ａと基台１１ｂとから成っており、柱部材１１ａは基板材２の下面に一体成型されており、これらの柱部材１１ａに対し基台１１ｂは凹状又は凸状の嵌合部により連結されている。
【００２４】
或いは、基台１１ｂは基板材２、柱部材１１ａと共に、射出成型により一体化することもできる。
【００２５】
この実施例２においても、基板材２、形状保形部１１は共に通気性を有しているので、快適に使用することができる。
【実施例３】
【００２６】
図６は実施例３の睡眠用枕１の側面図である。実施例２の睡眠用枕１の形状保形部３の下部に、高さ調節部材２１が配置されている。
【００２７】
この高さ調節部材２１は例えば厚さが１ｃｍとされ、上部に設けた突起を形状保形部３の基台３ｃの下面の嵌合穴に嵌合することにより、結合できるようにされている。なお、実施例１の基台３ｂに対して、高さ調節部材２１を重ねるようにして、基台３ｃと高さ調節部材２１には、例えば実施例１の嵌合突部２ｆ、嵌合凹部３ｄのような嵌合部により結合する。
【００２８】
更に、高さを大きくするには、別の高さ調節部材２１を同様にして積層すればよい。
【実施例４】
【００２９】
図７は実施例４の睡眠用枕１の側面図である。形状保形部１１の下部に高さ調節部材３１を付加することは実施例３と同様である。この高さ調節部材３１上には、複数本の柱状体３１ａが設けられており、柱状体３１ａの上端を形状保形部３の基台３ｃの下面の嵌合穴に挿入することにより、睡眠用枕１の高さを変えることができる。
【００３０】
柱状体３１ａの高さが異なる幾つかの高さ調節部材３１を用意しておけば、睡眠用枕１を任意の高さとすることができる。
【実施例５】
【００３１】
図８は実施例５の枕部材の側面図であり、２つの同形の枕部材４１ａ、４１ｂから成り、枕部材４１ａ、４１ｂのそれぞれは、基板材２が形状保形部４２により一体成型又は連結して保持されている。基板材２と形状保形部４２の関係は実施例１又は実施例２の基板材２と形状保形部３、１１と同様であるが、枕部材４１ａ、４１ｂの基板材２は片側が高く中央部は凹むように形成されている。形状保形部４２の底部４２ａには、２つの枕部材４１ａ、４１ｂが互いに嵌合する図示しない複数の凸嵌部４２ｂ、凹嵌部４２ｃが交互に等間隔で形成されている。
【００３２】
図９に示すように枕部材４１ａ、４１ｂの底部４２ａ同士を突き合せて重ねた場合に、凸嵌部と凹嵌部は合致し、枕部材４１ａ、４１ｂ同士は連結するようにされている。
【００３３】
なお、枕部材４１ａ、４１ｂの連結は、図１０に示すように一方ｈを反転して組合せることもできる。この実施例５の睡眠用枕１は、上下の何れの面を頭部に接するようにして使用できる。
【符号の説明】
【００３４】
１  睡眠用枕
２  基板材
２ａ  通気孔
２ｂ  枠部材
２ｄ  突条片
３、１１  形状保形部
３ａ  柱部材
３ｂ  梁部材
４  カバー
２１、３１  高さ調節部材
４１ａ、４１ｂ  枕部材
【図１】
2014045890.tif 000003
【図２】
2014045890.tif 000004
【図３】
2014045890.tif 000005
【図４】
2014045890.tif 000006
【図５】
2014045890.tif 000007
【図６】
2014045890.tif 000008
【図７】
2014045890.tif 000009
【図８】
2014045890.tif 000010
【図９】
2014045890.tif 000011
【図１０】
2014045890.tif 000012
【手続補正書】
【提出日】平成24年12月6日(2012.12.6)
【手続補正１】
【補正対象書類名】特許請求の範囲
【補正対象項目名】全文
【補正方法】変更
【補正の内容】
【特許請求の範囲】
【請求項１】
多数の通気孔を設けると共に表面に多数本の柔軟性かつ弾発性を有する突条片を形成した合成樹脂材から成るシート状の基板材と、該基板材を裏面から保持する複数本の柱部材及び梁部材から構成し通気性を有する合成樹脂から成る形状保形部とを備えたことを特徴とする睡眠用枕。
【請求項２】
前記形状保形部は上下方向に弾力性を有することを特徴とする請求項１に記載の睡眠用枕。
【請求項３】
前記基板材と前記形状保形部は一体成型したことを特徴とする請求項１又は２に記載の睡眠用枕。
【請求項４】
前記形状保形部の底部に高さ調節部材を連結可能としたことを特徴とする請求項１〜３の何れか１つの請求項に記載の睡眠用枕。
【請求項５】
前記基板材と前記形状保形部とを組合せた２つの枕部材の前記形状保形部の底部同士を突き合せて接合したことを特徴とする請求項１〜３の何れか１つの請求項に記載の睡眠用枕。
【請求項６】
前記基板材、前記形状保形部の周囲を通気性を有するカバーにより覆ったことを特徴とする請求項１〜５の何れか１つの請求項に記載の睡眠用枕。
【手続補正２】
【補正対象書類名】明細書
【補正対象項目名】０００９
【補正方法】変更
【補正の内容】
【０００９】
上記目的を達成するための本発明に係る睡眠用枕は、多数の通気孔を設けると共に表面に多数本の柔軟性かつ弾発性を有する突条片を形成した合成樹脂材から成るシート状の基板材と、該基板材を裏面から保持する複数本の柱部材及び梁部材から構成し通気性を有する合成樹脂から成る形状保形部とを備えたことを特徴とする。